(57)【要約】【課題】  液晶表示装置等に用いるカラーフィルター基板を傷、破損から守り、保管、移送に有利なカラーフィルター基板を提供する。【解決手段】  ガラス基板の表面にブラックマトリックス、着色層、透明電極及びスペーサー等の基本構成を形成させたカラーフィルター基板の着色層側の面に粘着フィルムや樹脂等からなる除去可能な保護層を設け、保護層を設けたカラーフィルター基板を複数枚積層して、輸送に便利な積層体とする際に、カラーフィルター基板の着色層側の保護層と、カラーフィルター基板の裏面とが接するように積層させる。【選択図】  図１
2005134418.tif 000002
【特許請求の範囲】
【請求項１】
カラーフィルター基板の着色層側の面に保護層を設けることを特徴とするカラーフィルター基板。
【請求項２】
前記保護層が、基材表面に粘着剤を有するフィルムである請求項１記載のカラーフィルター基板。
【請求項３】
前記保護層が、基材と粘着剤との共押しフィルムである請求項１記載のカラーフィルター基板。
【請求項４】
前記保護層が、水溶性樹脂からなる請求項１記載のカラーフィルター基板。
【請求項５】
前記水溶性樹脂は、ポリビニルアルコール、水酸基を有するアクリル樹脂、セルロースのいずれかである請求項４記載のカラーフィルター基板。
【請求項６】
前記保護層が、層中に空隙を含む樹脂層である請求項４記載のカラーフィルター基板。
【請求項７】
前記保護層が、アルカリ可溶性樹脂からなる請求項１記載のカラーフィルター基板。
【請求項８】
前記アルカリ可溶性樹脂は、側鎖に水酸基及びカルボン酸基を有するアクリル共重合体又は、水酸基及びカルボン酸基変性エポキシ・ウレタン・ポリエステルアクリレートである請求項７記載のカラーフィルター基板。
【請求項９】
前記保護層が、層中に空隙を含む樹脂層である請求項７記載のカラーフィルター基板。
【請求項１０】
前記保護層が、溶剤可溶性樹脂からなる請求項１記載のカラーフィルター基板。
【請求項１１】
前記保護層が、層中に空隙を含む樹脂層である請求項１０記載のカラーフィルター基板。
【請求項１２】
カラーフィルター基板の着色層側の面に保護層を設けたカラーフィルター基板を複数枚積層させてなる積層体であって、隣り合う２枚のカラーフィルター基板は、一方のカラーフィルター基板の前記保護層と他方のカラーフィルター基板の裏面とが接してなることを特徴とする積層体。
【請求項１３】
前記保護層は、基材表面に粘着剤を有するフィルム又は基材と粘着剤との共押しフィルムであることを特徴とする請求項１２記載の積層体。
【請求項１４】
前記保護層は、水溶性樹脂、アルカリ可溶性樹脂、溶剤可溶性樹脂のいずれかからなる請求項１２記載の積層体。
【請求項１５】
前記保護層が、層中に空隙を含む樹脂層である請求項１４記載の積層体。
【請求項１６】
第１の地点で、カラーフィルター基板の着色層側の面に保護層を設ける工程と、前記保護層を設けたカラーフィルター基板を、隣り合う２枚のカラーフィルター基板が、一方のカラーフィルター基板の前記保護層と他方のカラーフィルター基板の裏面とで接するように、複数枚積層させて積層体を形成させる工程と、
前記第１の地点で形成させた積層体を、前記第１の地点から第２の地点へ搬送する工程と、
前記第２の地点で、前記カラーフィルター基板の保護層を除去する工程とを具備することを特徴とするカラーフィルター基板の利用方法。
【請求項１７】
前記保護層が水溶性樹脂からなり、前記保護層を除去する工程は、水で洗い流すことを特徴とする請求項１６記載のカラーフィルター基板の利用方法。
【請求項１８】
前記保護層がアルカリ可溶性樹脂からなり、前記保護層を除去する工程は、アルカリ性水溶液で洗い流すことを特徴とする請求項１６記載のカラーフィルター基板の利用方法。
【請求項１９】
前記保護層が溶剤可溶性樹脂からなり、前記保護層を除去する工程は、有機溶剤で洗い流すことを特徴とする請求項１６記載のカラーフィルター基板の利用方法。
【請求項２０】
前記保護層が基材表面に粘着剤を有するフィルムであり、前記保護層を除去する工程は、前記粘着フィルムを剥離し、洗浄することを特徴とする請求項１６記載のカラーフィルター基板の利用方法。
【請求項２１】
前記保護層が基材と粘着剤との共押しフィルムであり、前記保護層を除去する工程は、前記粘着フィルムを剥離し、洗浄することを特徴とする請求項１６記載のカラーフィルター基板の利用方法。
【発明の詳細な説明】
【技術分野】
【０００１】
本発明は、液晶表示装置等に用いられ、保管、移送時に有利なカラーフィルター基板、その積層体及びカラーフィルター基板の利用方法に関するものである。
【背景技術】
【０００２】
通常、カラーフィルター基板は、ガラス基板表面にブラックマトリックス、着色層、透明導電膜層及びスペーサー等の突起物を形成した状態で保管、移送される。
【０００３】
従来、カラーフィルター基板を保管、移送する際は、カラーフィルター基板表面を傷や破損から守るため、カラーフィルター基板同士が接触しないように、カラーフィルター基板を所定間隔で並列収納できる、箱形の収納容器を用いていた。
【特許文献１】特開２００２−２６４９９２号公報
【０００４】
しかしながら、最近では、より大型のカラーフィルター基板の製造が要求されており、これらを従来と同様に所定間隔で収納すれば、より大きな、収納容器、収納スペースが必要となり、また、輸送により割れやすくなり、現実には、前記のような収納容器を用いて、保管、移送するのは困難である。
【発明の開示】
【発明が解決しようとする課題】
【０００５】
本願発明は、カラーフィルター基板を傷、破損から守り、大型のカラーフィルター基板でも、保管、移送に有利なカラーフィルター基板、その積層体及びカラーフィルター基板の利用方法を提供するものである。
【課題を解決するための手段】
【０００６】
本発明は、カラーフィルター基板の着色層側の面に保護層を設けることを特徴とするカラーフィルター基板であり、第２の発明は、カラーフィルター基板の着色層側の面に保護層を設けたカラーフィルター基板を複数枚積層させてなる積層体であって、隣り合う２枚のカラーフィルター基板は、一方のカラーフィルター基板の前記保護層と他方のカラーフィルター基板の裏面とが接してなることを特徴とする積層体。であり、第３の発明は、第１の地点で、カラーフィルター基板の着色層側の面に保護層を設ける工程と、前記保護層を設けたカラーフィルター基板を、隣り合う２枚のカラーフィルター基板が、一方のカラーフィルター基板の前記保護層と他方のカラーフィルター基板の裏面とで接するように、複数枚積層させて積層体を形成させる工程と、前記第１の地点で形成させた積層体を、前記第１の地点から第２の地点へ搬送する工程と、前記第２の地点で、前記カラーフィルター基板の保護層を除去する工程とを具備することを特徴とするカラーフィルター基板の利用方法である。
【発明の効果】
【０００７】
本発明のカラーフィルター基板、その積層体及びカラーフィルター基板の利用方法は、保管や移送の際に、必要なスペースが小さくてすみ、表面に傷やわれが生じにくく、作業性も良好である。
【発明を実施するための最良の形態】
【０００８】
本発明に用いるカラーフィルター基板は、製造方法に特に制限はなく、基本構成として、ガラス基板上に、ブラックマトリックス、着色層、透明電極及びスペーサー等の突起物を形成させた液晶表示装置等に用いられるカラーフィルター基板である。
【０００９】
本発明は、カラーフィルター基板の着色層側の面に保護層を設ける。
図１に、本発明のカラーフィルター基板の一例を示す。ガラス基板３にブラックマトリックス５及び着色層７ａ、７ｂ、７ｃが形成され、着色層７の上に透明電極９が形成され、その上にスペーサー１１がブラックマトリックス５の上部に形成されている。さらに、スペーサー１１を覆うように、保護層１３が形成される。
【００１０】
図２は、本発明の積層体の一例を示す断面図であり、複数枚の本願発明のカラーフィルター基板１を、カラーフィルター基板１の保護層１３と、隣り合うカラーフィルター基板１のガラス基板３とが接触するように積層させる。
【００１１】
本発明の保護層は、保護性能の点からある程度の厚みがあることが好ましく、また着色層、透明電極等と相互作用せず、また、本発明の保護層は一時的な保護であることから後で比較的簡単に除去できるものであることが必要である。
【００１２】
本発明の保護層は、以下に示すような粘着フィルム又はコーティング層が好適に用いられる。
本発明の粘着フィルムは、基材表面に粘着剤を有するフィルム又は基材と粘着剤との共押しフィルムが用いられる。本発明で用いる基材は、ポリエチレン、ポリエチレンテレフタレート等であり、粘着剤は、ゴム系又はアクリル系である。特に好ましくは、基材がポリエチレンであり、粘着剤がゴム系であることである。
【００１３】
本発明のコーティング層は、水溶性樹脂、アルカリ可溶性樹脂又は溶剤可溶性樹脂からなる。水溶性樹脂は、ポリビニルアルコール、水酸基を有するアクリル樹脂、セルロース等が好適に使用でき、アルカリ可溶性樹脂は、側鎖に水酸基及びカルボン酸基を有するアクリル共重合体又は、水酸基及びカルボン酸基変性エポキシ・ウレタン・ポリエステルアクリレート等が好適に使用できる。本発明で特に好ましい保護層は、ポリビニルアルコールである。
【００１４】
また、保護層として前記水溶性樹脂、アルカリ可溶性樹脂又は溶剤可溶性樹脂を用いる際、樹脂層中に空隙を含ませることが特に好ましい。本願発明でいう空隙は、前記水溶性樹脂、アルカリ可溶性樹脂や溶剤可溶性樹脂にエアーアトマイジングノズル等で気泡を入れることにより得ることができる。また、ウレタンなどの内部に気泡を有する樹脂、中空樹脂ビーズを分散させた樹脂等を使用することができる。
樹脂層中に空隙を含ませることにより、保護効果が大きくなり、保護層を除去する際、液の浸透がよくなり、除去が容易になる。また、比重が下げられるので、材料コストが削減できる。
【００１５】
本発明のコーティング層の形成方法は、特に限定するものではなく、ディップコート、ロールコート、スキージコート、ダイコート、スプレーによる吹きつけ等の方法が使用可能であり、特に好ましくはロールコートである。
【００１６】
本発明の保護層の厚さは、特に制限するものではないが、保護性能の面から樹脂によるコーティング層の場合は３〜１００μｍが好ましく、特に好ましくは５〜２０μｍであり、粘着フィルムの場合は、基材の厚みとして１０〜５０μｍが好ましい。
【００１７】
本発明の積層体は、本発明の着色層側の面に保護層を設けたカラーフィルター基板を複数枚積層させて、隣り合う２枚のカラーフィルター基板は、一方のカラーフィルター基板の保護層と他方のカラーフィルター基板の裏面とが接するようにする。
【００１８】
本発明の積層体において、隣り合うカラーフィルター基板の保護層と裏面とが接する面の滑りやすさから、保護層は粘着フィルムであることが特に好ましい。
【００１９】
次に、本願発明のカラーフィルター基板の利用方法について、説明する。
カラーフィルター基板は、通常ガラス基板上に、ブラックマトリックス、着色層、透明電極及びスペーサー等の突起物を形成させた状態で、液晶表示装置メーカーに搬送される。
【００２０】
本発明は、カラーフィルター基板を製造する第１の地点で、ガラス基板上に、ブラックマトリックス、着色層、透明電極及びスペーサー等の突起物を形成させた後、カラーフィルター基板の着色層側に本発明の保護層を設け、保護層を設けたカラーフィルター基板を積層させて積層体として、第２の地点に搬送し、第２の地点で、保護層の除去を行う。
【００２１】
本発明でいう第１の地点は、カラーフィルター基板を製造する工場、あるいはそれに隣接する敷地等を含む概念であり、第２の地点は、液晶表示装置メーカー等のカラーフィルター基板を利用して製品とする工場あるいはそれに隣接する敷地等を含む概念である。
【００２２】
本発明の保護層の除去方法は、保護層の種類により異なる。
【００２３】
保護層が、粘着フィルムの場合は、除去はフィルムを剥離し、洗浄することにより行う。
【００２４】
保護層が、水溶性樹脂層の場合は、除去は保護層を水で洗浄することにより行う。洗浄方法は、ロールブラシによるブラシ洗浄が特に好ましい。
【００２５】
保護層が、アルカリ可溶性樹脂層の場合は、除去は保護層をアルカリ性水溶液で洗浄することにより行う。アルカリ性水溶液は、水酸化カリウム水溶液を用いることが特に好ましい。
【００２６】
保護層が、溶剤可溶性樹脂層の場合は、除去は有機溶剤で洗浄することにより行う。
【００２７】
本願発明で行う、水、アルカリ性水溶液又は有機溶剤による洗浄の方法は、特に限定するものではなく、洗浄液中に浸漬して行うディップ洗浄、洗浄液をシャワーし、ロールブラシやカップブラシを用いるブラシ洗浄、高圧スプレーによるスプレー洗浄又は超音波洗浄等が可能である。
【実施例１】
【００２８】
以下、実施例に基づいて、詳細に説明する。
大きさが、縦１５００ｍｍ、横１８００ｍｍのカラーフィルター基板の、着色層側の面に、日本化薬（株）製ＫＡＹＡＭＩＲＲＯＲ  ＴＯＣ−３０１（アクリル樹脂）をロールコーターにて塗布後、８０℃オーブンで１０分間乾燥し、厚さ５μｍのコーティング層からなる保護層を得た。
該保護層を設けたカラーフィルター基板２００枚を、垂直状態から１５度傾斜させた状態で収納できる専用パレットに、隣り合うカラーフィルター基板の保護層と裏面とが接するように収納した。その後、外気との遮断および荷崩れを防ぐ目的でストレッチフィルム巻き、カラーフィルター基板輸送のための積層体とし、搬送を行った。
これにより、カラーフィルター基板の梱包効率を向上させると共に輸送中のカラーフィルター基板の動きを制約することができ、輸送中の振動等によるワレといった基板への影響を避けることができた。
次に、搬送先でロールブラシにより、水酸化カリウム１％水溶液を用いて保護層の除去を行った。
カラーフィルター基板の保護層は、完全に除去されており、カラーフィルター層に傷や汚れも発生していなかった。
【実施例２】
【００２９】
大きさが、縦１５００ｍｍ、横１８００ｍｍのカラーフィルター基板の、着色層側の面に、粘着フィルム（（株）サンエー化研製ＨＰ−２５（ＰＥ／ゴム系粘着剤））をラミネートし、保護層を得た。
該保護層を設けたカラーフィルター基板２００枚を、垂直状態から１５度傾斜させた状態で収納できる専用パレットに、隣り合うカラーフィルター基板の保護層と裏面とが接するように収納した。その後、外気との遮断および荷崩れを防ぐ目的でストレッチフィルム巻き、カラーフィルター基板輸送のための積層体とし、搬送を行った。
これにより、カラーフィルター基板の梱包効率を向上させると共に輸送中のカラーフィルター基板の動きを制約することができ、輸送中の振動等によるワレといった基板への影響を避けることができた。
次に、搬送先でフィルムをはがし、その後洗浄することにより、保護層の除去を行った。
カラーフィルター基板は、保護層が完全に除去され、カラーフィルター層に傷や汚れも発生しておらず、保護層を設ける以前の状態だった。
【図面の簡単な説明】
【００３０】
【図１】カラーフィルター基板の一例を示す断面図である。
【図２】本願発明の積層体の一例を示す説明図である。
【符号の説明】
【００３１】
１………カラーフィルター基板
３………ガラス基板
５………ブラックマトリックス
７ａ………着色層（Ｒ）
７ｂ………着色層（Ｇ）
７ｃ………着色層（Ｂ）
９………透明電極
１１………スペーサー
１３………保護層
３１………積層体
【図１】
2005134418.tif 000003
【図２】
2005134418.tif 000004